(57)【要約】【課題】係合孔を有する被保持物を容易に且つ確実に吊り下げることができる吊り具を提供することを課題とする。【解決手段】操作部材７を本体１の先端部１Ａに向けて押すと、操作部材７がスライドして球体１３によるスライド部材４のスライド位置の拘束が解除され、第１バネ１１の付勢力に抗してスライド部材４が操作部材７と共に本体１の先端部１Ａに向かってスライドしてタング部材２が格納位置に回動する。その状態で本体１を被保持物の係合孔に挿入し、その後操作部材７から手を離せば、第１バネ１１の付勢力によりスライド部材４が本体１の基端部１Ｂに向けてスライドすると共にタング部材２が突出位置に回動して被保持物に係合し、吊り具が被保持物に取り付けられる。同様に、操作部材７を押してタング部材２を格納位置に位置させた状態で本体１を引き抜けば、吊り具が被保持物から取り外される。【選択図】図１
2007126255.tif 000002
【特許請求の範囲】
【請求項１】
その先端部側から被保持物の係合孔に通されると共にその基端部側の内部に中心軸上に位置するように形成された収容室と前記収容室の内周面に形成された凹部とを有する本体と、
前記本体内に格納される格納位置と前記本体の側方に突出する突出位置との間で回動自在に前記本体の先端部に取り付けられるタング部材と、
筒形状を有して前記本体の収容室内にスライド自在に配置されると共にその側壁に貫通孔が形成されたスライド部材と、
前記タング部材と前記スライド部材との間を連結するリンク部材と、
前記スライド部材を前記本体に対して前記本体の基端部に向かって付勢する第１付勢手段と、
前記スライド部材の貫通孔内に遊嵌されると共に前記スライド部材の側壁の厚さより大きい直径を有する球体と、
前記スライド部材内に前記本体の基端部側からスライド自在に挿入されると共に前記球体の内側面に当接したときに前記球体の外側面が前記スライド部材の外周面から外方へ突出するような大径部と前記球体の内側面に当接したときに前記球体の外側面が前記スライド部材の外周面から外方へ突出しないような小径部とを有する操作部材と、
前記操作部材を前記スライド部材に対して前記本体の基端部に向かって付勢する第２付勢手段と
を備え、操作部材を操作しない状態では、前記第２付勢手段の付勢力により前記操作部材の大径部が前記スライド部材の貫通孔に対向して前記球体の内側面に当接し、前記球体の外側面が前記スライド部材の外周面から外方に突出して前記本体の収容室の凹部に係止することにより前記スライド部材のスライド位置が拘束されると共に前記リンク部材を介して前記タング部材が突出位置に拘束され、前記操作部材を前記本体の先端部に向かって押すと、前記第２付勢手段の付勢力に抗して前記操作部材が前記スライド部材内を前記本体の先端部の方向にスライドしてこの操作部材の小径部が前記スライド部材の貫通孔に対向することにより前記本体の凹部に係止していた前記球体が解放されて前記スライド部材のスライド位置の拘束が解除され、さらに前記操作部材が前記スライド部材に当接してこのスライド部材を前記第１付勢手段の付勢力に抗して前記本体の先端部に向かってスライドさせることにより前記リンク部材を介して前記タング部材が格納位置に回動されることを特徴とする吊り具。
【請求項２】
前記本体の収容室の内周面にはその周方向に沿って前記凹部としての環状溝が形成されている請求項１に記載の吊り具。
【請求項３】
前記スライド部材の側壁には、その周方向に沿って３つの前記貫通孔が互いに間隔をあけて形成されると共に、これら３つの貫通孔内に３つの前記球体がそれぞれ遊嵌するように配置されている請求項１または２に記載の吊り具。
【請求項４】
前記本体に吊り上げ用の吊り孔部をさらに備える請求項１〜３のいずれか一項に記載の吊り具。
【発明の詳細な説明】
【技術分野】
【０００１】
この発明は、吊り具に係り、特に係合孔を有する被保持物を吊り下げるための吊り具に関する。
【背景技術】
【０００２】
従来、例えばトンネルのシールド等に用いられるスチール製のセグメント等の係合孔を有する被保持物を吊り下げる際には、Ｌ字状の金具が使用され、被保持物に形成された係合孔に金具を引っ掛けて吊り下げていた。このため、金具に被保持物の重量がかかった吊り下げ状態では金具が被保持物の係合孔にしっかりと係合して外れることはないが、被保持物の重量が金具にまだ十分にかからない吊り下げ直前においては、金具が係合孔から外れやすく、作業者がそれぞれの金具を押さえていなければならなかった。
また、ボルトナット方式の吊り具を係合孔に係合させて被保持物を吊り下げようとしても、被保持物の裏側まで手が届かず、ナット締めができない場合があった。
【０００３】
さらに、特許文献１には、被保持物にボルトの頭部に対応した特殊な形状の貫通孔を形成し、この貫通孔にボルトを挿通して所定角度回転することによりボルトの頭部を係合させ、吊り孔を有するアイナットをボルトの先端に螺合して被保持物を吊り下げる吊り具が開示されているが、被保持物に特殊な形状の貫通孔を開けなければならず、使いやすいものではなかった。
【０００４】
【特許文献１】特開平５−３３０７８２号公報
【発明の開示】
【発明が解決しようとする課題】
【０００５】
このように、従来は、係合孔を有する被保持物を容易に且つ確実に吊り下げることが困難であった。
この発明はこのような問題点を解消するためになされたもので、係合孔を有する被保持物を容易に且つ確実に吊り下げることができる吊り具を提供することを目的とする。
【課題を解決するための手段】
【０００６】
この発明に係る吊り具は、その先端部側から被保持物の係合孔に通されると共にその基端部側の内部に中心軸上に位置するように形成された収容室と収容室の内周面に形成された凹部とを有する本体と、本体内に格納される格納位置と本体の側方に突出する突出位置との間で回動自在に本体の先端部に取り付けられるタング部材と、筒形状を有して本体の収容室内にスライド自在に配置されると共にその側壁に貫通孔が形成されたスライド部材と、タング部材とスライド部材との間を連結するリンク部材と、スライド部材を本体に対して本体の基端部に向かって付勢する第１付勢手段と、スライド部材の貫通孔内に遊嵌されると共にスライド部材の側壁の厚さより大きい直径を有する球体と、スライド部材内に本体の基端部側からスライド自在に挿入されると共に球体の内側面に当接したときに球体の外側面がスライド部材の外周面から外方へ突出するような大径部と球体の内側面に当接したときに球体の外側面がスライド部材の外周面から外方へ突出しないような小径部とを有する操作部材と、操作部材をスライド部材に対して本体の基端部に向かって付勢する第２付勢手段とを備え、操作部材を操作しない状態では、第２付勢手段の付勢力により操作部材の大径部がスライド部材の貫通孔に対向して球体の内側面に当接し、球体の外側面がスライド部材の外周面から外方に突出して本体の収容室の凹部に係止することによりスライド部材のスライド位置が拘束されると共にリンク部材を介してタング部材が突出位置に拘束され、操作部材を本体の先端部に向かって押すと、第２付勢手段の付勢力に抗して操作部材がスライド部材内を本体の先端部の方向にスライドしてこの操作部材の小径部がスライド部材の貫通孔に対向することにより本体の凹部に係止していた球体が解放されてスライド部材のスライド位置の拘束が解除され、さらに操作部材がスライド部材に当接してこのスライド部材を第１付勢手段の付勢力に抗して本体の先端部に向かってスライドさせることによりリンク部材を介してタング部材が格納位置に回動されるものである。
【０００７】
本体の収容室の内周面に、その周方向に沿って上記凹部としての環状溝を形成してもよい。
また、スライド部材の側壁に、その周方向に沿って３つの貫通孔を互いに間隔をあけて形成し、これら３つの貫通孔内に３つの球体をそれぞれ遊嵌させることができる。
さらに、吊り上げ用の吊り孔部を本体に形成することができる。
【発明の効果】
【０００８】
この発明によれば、被保持物を容易に且つ確実に吊り下げることができる。
【発明を実施するための最良の形態】
【０００９】
以下、この発明の実施の形態を添付図面に基づいて説明する。
図１に、この発明の実施の形態に係る吊り具の構成を示す。この吊り具は、スチール製のセグメント等の係合孔を有する被保持物を吊り上げるためのものであり、図示しない被保持物の係合孔にその先端部１Ａ側から挿入される本体１を有している。この本体１の先端部１Ａ側の内部にタング部材２が配置されている。また、本体１の基端部１Ｂ側の内部にはその中心軸上に位置するように収容室３が形成されると共にこの収容室３内にスライド部材４が収容されており、このスライド部材４の延出部５とタング部材２とがリンク部材６を介して互いに連結されている。また、スライド部材４内には操作部材７が挿入されている。さらに、本体１の外側部に吊り上げ用の吊り孔部８が形成されている。本体１、タング部材２、スライド部材４、リンク部材６及び操作部材７はそれぞれステンレス等の金属から形成されている。
【００１０】
タング部材２は、ピン９により本体１に回動自在に取り付けられている。タング部材２の一端には係合面２ａが形成されており、タング部材２はこの係合面２ａが本体１内に格納される格納位置と係合面２ａが本体１の側方に突出する突出位置との間で回動される。なお、タング部材２が突出位置にあるときには、その係合面２ａが本体１の長手方向に対して垂直に位置する。
【００１１】
収容室３は、本体１の基端部１Ｂ側の端部が開放されると共に本体１の先端部１Ａ側の底部に軸方向の挿通孔が形成されており、収容室３の内周面にはその周方向に沿って環状溝１０が形成されている。また、スライド部材４は、ほぼ有底円筒形状を有して収容室３内にスライド自在に配置されており、その底部が本体１の先端部１Ａ側を向き、その開口部が本体１の基端部１Ｂ側を向いている。また、スライド部材４の底部から軸方向に延出された延出部５が収容室３の挿通孔に挿入され、この延出部５とタング部材２とにそれぞれリンク部材６の両端部が回動自在に連結されている。さらに、収容室３内の底部には第１付勢手段としての第１バネ１１が配置されており、第１バネ１１によりスライド部材４が本体１の基端部１Ｂ側に向かって付勢されている。
【００１２】
スライド部材４の側壁には貫通孔１２が形成されており、貫通孔１２内にはスライド部材４の側壁の厚さよりも大きい直径を有する金属製の球体１３が遊嵌されている。なお、図１では、１つの貫通孔１２しか図示されていないが、スライド部材４の側壁には３つの貫通孔１２が互いに周方向に所定の間隔をあけて形成されており、それぞれの貫通孔１２内に対応する１つの球体１３が遊嵌されている。
【００１３】
操作部材７は、その先端部にスライド部材４の開口部を介してスライド部材４内にスライド自在に収容される摺動部１４を有すると共に、その基端部にスライド部材４の外径とほぼ同じ大きさの径を有する頭部１５を有しており、これら摺動部１４と頭部１５との間には摺動部１４から頭部１５に向かって、大径部１６及びこの大径部１６より小さい径を有する小径部１７が順次配置されている。また、これら摺動部１４、大径部１６、小径部１７及び頭部１５は互いに同軸上に配置されると共に、大径部１６と小径部１７との間にテーパー面１８が形成されている。この操作部材７の大径部１６に球体１３の内側面が当接したときには球体１３の外側面がスライド部材４の外周面から外方に突出し、操作部材７の小径部１７に球体１３の内側面が当接したときには球体１３の外側面がスライド部材４の外周面から外方へ突出しないように構成されている。また、操作部材７は第２付勢手段としての第２バネ１９によりスライド部材４に対して本体１の基端部１Ｂ側に向かって付勢されている。
【００１４】
次に、この実施の形態に係る吊り具の作用について説明する。まず、吊り具をスチール製のセグメント等の係合孔を有する被保持物に取り付ける際には次のような手順で作業を行う。なお、吊り具の取り付けは被保持物に形成されている係合孔を利用して行われるが、被保持物に形成されている既存の係合孔を利用して、あるいは被保持物に所定の係合孔を形成して行われる。
【００１５】
図１に示されるように、操作部材７が何も操作されていない状態、すなわち、操作部材７の頭部１５が本体１の先端部１Ａに向かって押されていない状態では、第１バネ１１の付勢力によりスライド部材４はその貫通孔１２が収容室３の環状溝１０と対向するようなスライド位置にあると共にリンク部材６を介してタング部材２は突出位置に位置してその係合面２ａが本体１の側方に突出している。また、第２バネ１９の付勢力により操作部材７の大径部１６がスライド部材４の貫通孔１２に対向して球体１３の内側面に当接すると共に球体１３の外側面がスライド部材４の外周面から外方に突出して収容室３の環状溝１０に係止した状態となり、これによりスライド部材４のスライド位置が拘束されると共にリンク部材６を介してタング部材２が突出位置に拘束されている。なお、このとき、操作部材７の摺動部１４が球体１２の内側面に係止することにより操作部材７の本体１の基端部１Ｂ側に向かったスライド動作が規制され、操作部材７がスライド部材４の開口から抜け出ることが防止されている。
【００１６】
ここで、操作部材７の頭部１５を本体１の先端部１Ａに向かって押すと、図２に示されるように、第２バネ１９の付勢力に抗して操作部材７がスライド部材４内を本体１の先端部１Ａの方向にスライドし、球体１３に当接していた操作部材７の大径部１６が球体１３から外れて操作部材７の小径部１７がスライド部材４の貫通孔１２に対向することにより、収容室４の環状溝１０に係止した状態にあった球体１３が解放されてスライド部材４のスライド位置の拘束が解除される。
【００１７】
したがって、さらに操作部材７の頭部１５を本体１の先端部１Ａに向かって押し進めると、操作部材７の頭部１５がスライド部材４の開口部側の端面に当接し、操作部材７とスライド部材４とが一体になって収容室３内を第１バネ１１の付勢力に抗して本体１の先端部１Ａに向かってスライド動作を開始する。このとき、操作部材７の小径部１７がスライド部材の貫通孔１２に対向して球体１３をスライド部材４内に収容可能であるため、スライド部材４のスライド動作に伴って球体１３は環状溝１０から外れ、図３に示されるように、操作部材７の内側面が小径部１７及びテーパー面１８に当接して球体１３の外側面がスライド部材４の外周面から外方に突出されない状態になると共に、スライド部材４のスライド動作によりリンク部材６も本体１の先端部１Ａに向かってスライドすることにより、タング部材２がピン９を中心に格納位置へ回動してその係合面２ａが本体１内に格納される。この状態のまま本体１を図示されない被保持物に形成された係合孔に差し込む。
【００１８】
そして、タング部材２が被保持物の係合孔を通過したところで、押圧している操作部材７の頭部１５を解放すると、第１バネ１１の付勢力によりスライド部材４及びリンク部材６が共に本体１の基端部１Ｂに向かってスライドし、それに伴ってタング部材２が突出位置に回動して図１に示されるようにその係合面２ａが本体１の側方に突出する。これと同時に、第２バネ１９の付勢力により操作部材７が本体１の基端部１Ｂに向かってスライドして操作部材７の大径部１６が球体１３の内側面に当接し、球体１３の外側面がスライド部材４の外周面から外方に突出して収容室３の環状溝１０に係止することによりスライド部材４がそのスライド位置に拘束されると共に、リンク部材６を介してタング部材２が突出位置に拘束される。なお、このとき、操作部材７のテーパー面１８により、操作部材７の小径部１７から大径部１６にスムーズに移行させてこの大径部１６を球体１３に当接させることができる。
このようにして、本体１の側方に突出したタング部材２の係合面２ａが被保持物の係合孔の外周部に係合し、これにより吊り具の被保持物への取り付けが完了する。この状態で本体１の吊り孔部８を介して被保持物が吊り上げられる。
【００１９】
一方、吊り具を被保持物から取り外す場合、取り付けの場合と同様に、操作部材７の頭部１５を本体１の先端部１Ａに向けて押すことにより、第２バネ１９の付勢力に抗して操作部材７をスライド部材４に対して本体１の先端部１Ａに向けてスライドさせ、球体１３によるスライド部材４のスライド位置の拘束を解除すると共に、第１バネ１１の付勢力に抗してスライド部材４を操作部材７と共に収容室３内を本体１の先端部１Ａに向かってスライドさせてタング部材２を格納位置に回動させる。その状態で本体１の先端部１Ａを被保持物の係合孔から引き抜くことにより吊り具が被保持物から取り外される。
【００２０】
以上のように、この発明の吊り具は、被保持物に形成された係合孔を利用し、操作部材７の頭部１５を本体１の先端部１Ａに向けて押してタング部材２を格納位置に位置させた状態で、本体１の先端部１Ａを被保持物の係合孔に通す或いは係合孔から引き抜くことによりワンタッチで取り付け及び取り外しが完了するため、被保持物への吊り具の取り付け／取り外しを容易に行うことができる。
【００２１】
また、第２バネ１９の付勢力により操作部材７の大径部１６が球体１３に当接してこの球体１３が収容室３の環状溝１０に係止することにより、スライド部材４のスライド位置はタング部材２が突出位置になるような位置に拘束されるため、本体１の側方に突出しているタング部材２の部分に何らかの外力が働いても、タング部材２が本体１内に格納されて吊り具が被保持物の係合孔から外れてしまうことがなく、その結果、吊り下げを確実に行うことができる。
【００２２】
さらに、操作部材７の頭部１５を本体１の先端部１Ａに向けて押してタング部材２を格納位置に位置させた状態でこの操作部材７の頭部１５から手を離すと、第１バネ１１の付勢力によりスライド部材４及びリンク部材６が共に本体１の基端部１Ｂに向かってスライドし、これによりタング部材２が自動的に突出位置に回動するので、被保持物への吊り具の取り付け／取り外しをより容易に行うことができる。
【００２３】
なお、上述の実施の形態において、環状溝１０の代わりに、球体１４が係止可能な球面状の凹部を収容室３の内周面に形成してもよい。
また、上述の実施の形態では、スライド部材４の側壁に３つの貫通孔１２を形成してそれぞれ球体１３を遊嵌させたが、このような貫通孔１２を、１つまたは２つ、あるいは、４つ以上設けてそれぞれ球体１３を遊嵌させてもよい。
【００２４】
なお、この発明の吊り具はスチール製のセグメントだけでなく、所定の係合孔が形成されたパネル、Ｈ型鋼やビーム等の各種の鋼材及び構造物の吊り下げに幅広く利用することができる。
【図面の簡単な説明】
【００２５】
【図１】この発明の実施の形態に係る吊り具を示す断面図である。
【図２】この発明の実施の形態に係る吊り具における球体が解放された状態を示す断面図である。
【図３】この発明の実施の形態に係る吊り具におけるタング部材が格納された状態を示す断面図である。
【符号の説明】
【００２６】
１  本体、１Ａ  先端部、１Ｂ  基端部、２  タング部材、２ａ  係合面、３  収容室、４  スライド部材、５  延出部、６  リンク部材、７  操作部材、８  吊り孔部、９  ピン、１０  環状溝、１１  第１バネ、１２  貫通孔、１３  球体、１４  摺動部、１５  頭部、１６  大径部、１７  小径部、１８  テーパー面、１９  第２バネ。
【図１】
2007126255.tif 000003
【図２】
2007126255.tif 000004
【図３】
2007126255.tif 000005